(57)【要約】【課題】本発明は、特に人体の精神安定を求めたものや人体気孔を通じた効率的な薬効浸透による治癒や薬効拡散空間を一定の特定された狭空間へ応用し、しかも、薬効剤蒸散技術として電気や火やガス等の加熱エネルギーを用いることなく薬効剤の有効かつ安全な蒸散が行うことにより、薬剤の蒸散を所定の狭空間で万人に適応できる精油蒸散システム及び精油蒸散方法並びに精油蒸散装置を提供する。【解決手段】所定位置に精油成分を保管し精油成分に間接、或いは直接に発熱エネルギーを作用させて精油成分を一定の密閉空間内に蒸散させると共に、発熱エネルギーは火力以外の熱源から生成されるように構成したことを特徴とする精油蒸散方法及び精油蒸散装置を提供する。【選択図】図１
2020130542.tif 000002
【特許請求の範囲】
【請求項１】
所定位置に精油成分を保管し精油成分に間接、或いは直接に発熱エネルギーを作用させて精油成分を一定の密閉空間内に蒸散させると共に、発熱エネルギーは火力以外の熱源から生成されるように構成したことを特徴とする精油蒸散方法及び精油蒸散装置。
【請求項２】
ケース内に精油と火力を使用しないで発熱エネルギーを生成することができる熱生成物を収納し、熱生成物に対して付与する外部エネルギーよって熱生成物から火力を使用しない発熱エネルギーを一定の密閉空間内に放射可能に構成したことを特徴とする請求項１に記載の精油蒸散方法及び精油蒸散装置。
【請求項３】
狭密閉空間で実施可能とした火力を使用しない精油蒸散技術を商品化して精油蒸散装置として狭密閉空間の提供事業者に販売すると共に、狭密閉空間の提供事業者は該精油蒸散装置を狭密閉空間の受給者に提供し、該受給者は火力を使用しない精油蒸散装置を受け取り狭密閉空間内で火力を使用しない状態で、精油蒸散装置で精油の蒸散を行い精油の薬剤成分を狭密閉空間内で蒸散して薬効成分を狭密閉空間の受給者が受給できるように構成したことを特徴とする請求項１又は請求項２に記載の精油蒸散システム。
【請求項４】
精油としては、ラベンダー系やシトラス系やパウダリー系やウッディー系などの香り系の精油としたことを特徴とする請求項１〜３に記載の精油蒸散方法及び精油蒸散装置並びに精油蒸散システム。
【請求項５】
熱生成物としては、生石灰と水との組み合わせとしたことを特徴とする請求項１〜４に記載の精油蒸散方法及び精油蒸散装置並びに精油蒸散システム。
【請求項６】
発熱エネルギーとしては、生石灰と水との水和反応による発熱エネルギーとしたことを特徴とする請求項１〜５に記載の精油蒸散方法及び精油蒸散装置並びに精油蒸散システム。
【請求項７】
熱生成物に外部エネルギー付与する加水する手段として、予めケース中に水袋を収納してケース外から押圧エネルギーを付加して水袋を破砕し生石灰と水とを接触させて水和反応を生起することを特徴とする請求項１〜６に記載の精油蒸散方法及び精油蒸散装置並びに精油蒸散システム。
【発明の詳細な説明】
【技術分野】
【０００１】
本発明は、電気や火やガス等の発熱エネルギーを用いることなく、芳香剤・香料等の精油の蒸散を行い、安全に各種の環境改善を行うことができる精油蒸散システム及び精油蒸散方法並びに精油蒸散装置に関する。
【背景技術】
【０００２】
従来、環境改善手法として用いられる芳香剤・香料などの精油は、単に常温で拡散させるよりは加熱して成分拡散を行った方が精油拡散効率が高いことはよく知られている。
【０００３】
発熱手段としては電気エネルギーを用いたニクロム線等への通電や可燃物の燃焼、ガス燃焼等による発熱作用が利用されており、かかる発熱手段により芳香剤等の精油を加熱蒸散して含有成分の拡散をはかり精油成分の有効利用を意図するものが殆どであった。
【０００４】
しかも、これらの精油蒸散技術は主体的には薬剤、特に殺虫剤の効率的蒸散技術に係るものがほとんどを占めているが、その他の利用技術としては人体の精神的な安定を目的にとした精神安定剤の一種としての精油蒸散技術が用いられたり、精油の成分特定をしながら加熱蒸散の手法に各種の工夫がなされて安全性と即効性を発揮できる技術が採用されたりしていた。しかも、かかる精油の蒸散技術は家庭内や会社や事務所等の拡大空間で蒸散されており成分の拡散空間が必然的に広くなるものであった（特許文献１〜７参照）。
【先行技術文献】
【特許文献】
【０００５】
【特許文献１】特開２０１７−００６６２４号公報
【特許文献２】特開２００４−０２４６７７号公報
【特許文献３】特開昭６３−１６６２４１号公報
【特許文献４】特開平０２−０６５７４０号公報
【特許文献５】特開平０６−１９２００８号公報
【特許文献６】特開２０１０−１２４７２３号公報
【特許文献７】特開２０１０−０３５５２２号公報
【発明の概要】
【発明が解決しようとする課題】
【０００６】
このような上記の従来技術における精油加熱蒸散技術は、専ら薬剤を用いた殺虫目的に特化した技術が殆どであったり、加熱蒸散剤中の有効成分を一定の広範囲の空間に拡散して空間環境の改善を行う技術であったり、発熱蒸散の器具の改造、改良により最小量の精油で効率的成果を求めた精油蒸散の機械的なメカニズム技術であったり、殺虫剤、殺菌剤、芳香剤、消臭剤等の蒸散技術を発煙器具や加熱器具で実施するものであったり、蒸散性物質の収納容器の構造を改良して加熱蒸散技術の効率化を求めたものであったりしている。
【０００７】
しかし、特に人体の精神安定を求めたものや人体気孔を通じた効率的な薬効浸透による治癒や薬効拡散空間を一定の特定された狭空間へ応用し、しかも、薬効剤蒸散技術として電気や火やガス等の加熱エネルギーを用いることなく薬効剤の有効かつ安全な蒸散が行えるものは普及しておらず、火を使用しない薬剤の蒸散を所定の狭空間で万人に適応できる技術はまだ実施化の点で充分に解決されていない。
【０００８】
この発明は、上記の精油物質の欠点を減縮できるように、人体の精神安定の面に有効に作用するような精油物質を用いながら、その使用空間や使用目的を従来注目されていない狭ビジネス空間、例えばホテルの部屋空間で、かつ宿泊客等の万人に対して使用可能とし、その上でその応用技術をホテル業界等の特殊なマーケット分野に流用することにより精油物質の蒸散技術を確実に拡大できるようになり、しかもこの技術拡大を特定のビジネスモデルとして把握すれば精油蒸散技術の新たな事業展開の種とすることができる精油蒸散方法及び精油蒸散装置並びに精油蒸散システムに関する。
【課題を解決するための手段】
【０００９】
この発明は、所定位置に精油成分を保管し精油成分に間接、或いは直接に発熱エネルギーを作用させて精油成分を一定の密閉空間内に蒸散させると共に、発熱エネルギーは火力以外の熱源から生成されるように構成したことを特徴とする精油蒸散方法を提供する。
また、ケース内に精油と火力を使用しないで発熱エネルギーを生成することができる熱生成物とを収納し、熱生成物に対して付与する外部エネルギーよって熱生成物から火力を使用しない発熱エネルギーを一定の密閉空間内に放射可能に構成したことにも特徴を有する。
【００１０】
また、狭密閉空間で実施可能とした火力を使用しない精油蒸散技術を商品化して精油蒸散装置として狭密閉空間の提供事業者に販売すると共に、狭密閉空間の提供事業者は該精油蒸散装置を狭密閉空間の受給者に提供し、該受給者は火力を使用しない精油蒸散装置を受け取り狭密閉空間内で火力を使用しない状態で精油蒸散器で精油の蒸散を行い精油の薬剤成分を狭密閉空間内で蒸散して薬効成分を狭密閉空間の受給者が受給できるように構成したことにも特徴を有する。
【００１１】
また、精油としては、ラベンダー系やシトラス系やパウダリー系やウッディー系などの香り系の精油としたことを特徴とする。
【００１２】
また、熱生成物としては、生石灰と水との組み合わせとしたことにも特徴を有する。
【００１３】
また、発熱エネルギーとしては、生石灰と水との水和反応による発熱エネルギーとしたことにも特徴を有する。
【００１４】
また、熱生成物に外部エネルギー付与する加水する手段として、予めケース中に水袋を収納してケース外から押圧エネルギーを付加して水袋を破砕し生石灰と水とを接触させて水和反応を生起することにも特徴を有する。
【発明の効果】
【００１５】
この発明によれば、所定位置に精油成分を保管し精油成分に間接、或いは直接に発熱エネルギーを作用させて精油成分を蒸散させると共に、発熱エネルギーは火力以外の熱源から生成されるように構成したことにより、火力の使用による煩雑性や燃焼危険を回避することができ安全な環境で精油の蒸散ができ、従来火力使用の故にあらゆる支障が生起していた精油蒸散使用の環境を解消することができる効果がある。
【００１６】
しかも、一定空間内で精油成分の蒸散を促すため精油成分の薬効を空間内に放散して空間に所在する人間に即効性の精油薬効を与えることができる効果がある。
【００１７】
また、ケース内に精油と火力を使用しないで発熱エネルギーを生成することができる熱生成物とを収納し、熱生成物に対して付与する外部エネルギーよって熱生成物から火力を使用しない発熱エネルギーを一定空間内に放射可能に構成したことにより、ケースを商品として頒布しやすく、かつ使用しやすい外形状に構成することができ、しかも火力を使用していないので取扱いに安全で精油蒸散に必要な加温手段の危険性を考慮する必要が無く用途や使用形態や流通経路等を広範囲に拡大して製品の事業実施範囲を大幅に設定することができ結果的に事業収益性の向上を図ることができる効果がある。
【００１８】
また、狭密閉空間で実施可能とした火力を使用しない精油蒸散技術を商品化して精油蒸散器として狭密閉空間の提供事業者に販売すると共に、狭密閉空間の提供事業者は該精油蒸散器を狭密閉空間の受給者に提供し、該受給者は火力を使用しない精油蒸散器を受け取り狭密閉空間内で火力を使用しない状態で精油蒸散器で精油の蒸散を行い精油の薬剤成分を狭密閉空間内で蒸散して薬効成分を狭密閉空間の受給者が受給できるように構成したことにより、火力を使用しない精油蒸散技術を商品化して事業経路の至る所に流通させることができ、しかも、火力を使用しないという特徴が商品流通過程で安全性の宣伝に係ることができ事業成功のポイントとして新規なビジネスモデルの構築ができる効果がある。
【図面の簡単な説明】
【００１９】
【図１】本発明の精油蒸散方法及び精油蒸散装置並びに精油蒸散システムにおける装置の断面説明図である。
【図２】本発明の精油蒸散方法及び精油蒸散装置並びに精油蒸散システムにおける装置の使用状態を示す断面説明図である。
【図３】本発明の精油蒸散装置の断面説明図である。
【図４】本発明の精油蒸散装置の使用状態を示す断面説明図である。
【図５】本発明の精油蒸散装置において袋体を使用した一部切欠説明図である。
【図６】本発明の精油蒸散装置において袋体を使用した他の実施例である。
【図７】本発明の精油蒸散システムの概要説明図である。
【図８】本発明の精油蒸散システムのフローチャートの説明図である。
【発明を実施するための形態】
【００２０】
この発明の要旨は、所定位置に精油成分を保管し精油成分に間接、或いは直接に発熱エネルギーを作用させて精油成分を一定の密閉空間内に蒸散させると共に、発熱エネルギーは火力以外の熱源から生成されるように構成したこと、ケース内に精油と火力を使用しないで発熱エネルギーを生成することができる熱生成物とを収納し、熱生成物に対して付与する外部エネルギーよって熱生成物から火力を使用しない発熱エネルギーを一定の密閉空間内に放射可能に構成したこと、狭密閉空間で実施可能とした火力を使用しない精油蒸散技術を商品化して精油蒸散器として狭密閉空間の提供事業者に販売すると共に、狭密閉空間の提供事業者は該精油蒸散器を狭密閉空間の受給者に提供し、該受給者は火力を使用しない精油蒸散器を受け取り狭密閉空間内で火力を使用しない状態で精油蒸散器で精油の蒸散を行い精油の薬剤成分を狭密閉空間内で蒸散して薬効成分を狭密閉空間の受給者が受給できるように構成したことにある。
【００２１】
また、精油としては、ラベンダー系やシトラス系やパウダリー系やウッディー系などの香り系の精油としたこと、熱生成物としては、生石灰と水との組み合わせとしたこと、
発熱エネルギーとしては、生石灰と水との水和反応による発熱エネルギーとしたこと、熱生成物に外部エネルギー付与する加水する手段として、予めケース中に水袋を収納してケース外から押圧エネルギーを付加して水袋を破砕し生石灰と水とを接触させて水和反応を生起することにある。
【００２２】
以下、この発明の実施例を図面に基づき詳細に説明する。
【００２３】
［Ｉ．この発明に用いる蒸散物質について］
１．人体精神安定に有効な蒸散物質としては、香料や芳香剤やこれらを一部含んだ防虫剤、除湿剤、消臭剤等を指す。
例えば、蒸散物質としての香料は
・ラベンダー系（香りが残りやすい）
・シトラス系（香りが残りにくい）
・パウダリー系、ウッディー系
などが使用される。
【００２４】
２．蒸散物質として上記のような精油香料を使用した場合の成果を示す検証
香り：ラベンダー系
精油使用量：0.06g
賦香率：3％
香りとしての蒸散物質の量：2g
使用した生石灰の量：3g
密閉空間としての部屋の広さ：32平方メートル
確認方法：蒸散後部屋を閉め切った状態にして、15分ごとに4名による官能試験を実施した。
【００２５】
３．次に上記の検証結果を以下の表１に示す。
【表１】
2020130542.tif 000003
（有効時間については、同じ空間に居続けて臭いに慣れて感じなくなるまでの時間、香りが消えるまでの時間については、臭いにニュートラルな状態で外から入ったときに臭いを感じなくなるまでの時間とする。）
【００２６】
４．精油たる蒸散物質の担持体及び坦持手段
精油の性状としては、固型体、液状体、粉末体、気体があり、これらの精油は、保管時や使用時によって性状を異にする。
【００２７】
かかる精油の性状の差によって精油を坦持する担持物質、担持形態が異なってくる。
【００２８】
例えば、精油が固型体の場合は、精油たる蒸散物質を含浸させる担持物質は薄膜状、錠剤状、粉末状等に変形して固型体に蒸散物質を担持させる。
【００２９】
精油が液状体の場合は、精油たる蒸散物質をスポンジ等の多孔体に吸着させて容器に収納し容器から滴下しながら坦持物質に接触させる。
【００３０】
精油が粉末体の場合は、固形化した精油たる蒸散物質を粉砕して粉末状とし、同じく粉体の担持物質と混合させる、または固形状坦持物質の周面にコーティングさせる。
【００３１】
上記した精油たる蒸散物質を坦持する坦持物質は精油を留め置く中間物質であるが、発熱体を坦持物質とすることもできる。
【００３２】
例えば、生石灰の粉末や固形体を精油の坦持物質とする場合もあり、この場合は生石灰の水和反応を生起するために水との配置構造、特に容器の形状構造を種々考慮しなければならない。すなわち、容器に収納した生石灰、水等の発熱体と精油たる蒸散物質を、例えば図１、図２、図３、図４に示すようにハードの容器に収納して生石灰と水との水和反応が生起しやすい容器構造とし、同時に水和反応による発熱を精油たる蒸散物質に伝達する容器構造としている。
【００３３】
［ＩＩ．発熱体について］
１．発熱体は、基本的に電気エネルギーや火気エネルギーやガスエネルギーを用いることなく発熱機能を果たす物質を使用する。
【００３４】
要するに、従来の火力等による発熱技術を一切使用することなく、化学物質による水和反応による発熱作用で発生する熱を利用するものであり、無機及び／又は有機物質として、例えば、カルシウム、マグネシウム、アルミニウム、ヒドロタルシド等を例示することができる。本実施例は、かかる発熱体のうち、カルシウム（石灰石）を主体的に用いる場合について詳説する。
【００３５】
２．発熱体の例示としては、アルミニウム、酸化カルシウム（ＣａＯ）、塩化ナトリウ等を主体的に使用するが、必要に応じて活性炭や鉄粉等を混合して使用する。かかる成分の使用に際しては水を使用するが、混合成分の合計とほぼ同じ重量の水を使用する。例えば、混合成分中の酸化カルシウムを数グラム使用する際に水もほぼ同量を使用する。そして、酸化カルシウム（ＣａＯ）は水との水和反応により約９０℃〜３００℃の反応熱を生成する。
【００３６】
このような発熱材は安価であり取り扱いが簡単で安全である。かかる発熱材の性状は基本的には固型、粉体等とする。また、酸化カルシウム（ＣａＯ）等の主剤には更にアルミニュウム（Al）粉末を混合することがある。アルミニュウム（Al）粉末の混合は反応熱の生成を促進して大量の熱を取得することができる。
【００３７】
このように酸化カルシウム（ＣａＯ）の水和反応で反応熱を生成した場合には水酸化カルシウムCa(OH)２の加水分解で強塩基水溶液を生じこれがアルミニュウム（Al）と反応して新たに反応熱を生成し結果的に二重の反応熱により加熱が促進される。しかし、水素ガスの発生を生じることになり水素爆発を誘発する危険を生じる。かかる水素ガス生成を可及的に減少するために酸化カルシウム（ＣａＯ）やアルミニュウム（Al）の混合物に更に金属塩（NaCl）や炭酸塩（Na2CO3）等を添加し水素ガスの発生を可及的に抑制する。
【００３８】
３．このように酸化カルシウム（ＣａＯ）などの発熱体には金属塩（NaCl）や炭酸塩（Na2CO3）等を添加する。これらの金属塩（NaCl）や炭酸塩（Na2CO3）等を添加すればアルミニュウム（Al）の反応を活性化して長時間の加熱機能を持続することができる。
【００３９】
［ＩＩＩ．蒸散物質と発熱体との関連構成］
１．蒸散物質と発蒸体をケーシングする構成
１）発熱体と蒸散物質を一体的に組み込む構成
（１）発熱体も蒸散物質も固型体の場合は、発熱体の上部に蒸散物質を載置して、下方からの発熱伝導により、固型体から薬効成分蒸散を行う。
（２）発熱体の表面に液状体の蒸散物質を載置してケーシングし、発熱体の発熱によって液状の蒸散物質を加熱蒸散させ薬効成分を狭空間に蒸散させる。
（３）蒸散物質が粉末体である場合は、発熱体上に散布して蒸散物質の薬効成分を蒸散し空中散布を行う。また、粉末体の発熱体中に蒸散物質を固形化して埋入して粉末蒸散物質体で外包する。
【００４０】
２．蒸散物質と発熱体とを一体に形成する構成
１）蒸散物質も発熱体も共に粉状、粉末状とし双方を混合して一体の薬効成分粒子としこれを蒸散物質混合発熱体として一定の容器でケーシングし適宜の手段で水和反応をするための水を供給する。
２）発熱体中に固型の蒸散物質を収納して発熱体の発熱にともない外周の蒸散物質から成分を徐々に蒸散させる。
３）蒸散物質も発熱体もそれぞれ扁平形状に固型化して扁平形状の蒸散物質と発熱体とを互い違いに重設させて接着した構造の構成とする。
４）これらの蒸散物質と発熱体との一体形成の混合物は各種の構造に構成することができ、使用個所や使用環境に対応して構造を改変する事ができる。
【００４１】
［ＩＶ．発熱体の水和反応］
１．発熱体と水を反応させるためには発熱体に水を接触させる技術が必要である。かかる発熱体と水との接触技術について考察する。
１）  使用直前に発熱体に水を滴下する技術。
例えば、スポイド等の器具を用いて発熱体に水の滴下を行う。その他に、水袋を発熱体と共にケーシングしておき、水袋を外部からの押圧により破裂させて発熱体と水とを接触させる。ケーシング外部に発熱体と水との接触操作することができる機構を設けておく。
【００４２】
２）  使用開始タイミングを予め予測して、そのタイミングに合わせて発熱体と水とが接触する構造を所定のケーシングに収納しておく。
【００４３】
２．  発熱体の水和反応のメカニズムについて
発熱体として酸化カルシウムを使用する場合は、水との接触により水和反応を生起し反応熱を生起し精油を加熱して蒸散させる。
【００４４】
酸化カルシウムの量と反応水の量との関係、及び反応時間との関係は既に述べた通りである。また、発熱体との水和反応を生起するスイッチ機構として図２に示すように、外部からの操作に基づき、発熱体と水が接触する構造を設ける。
【００４５】
［Ｖ．収納容器について］
１．プラスチック容器中に発熱体と蒸散物質を収納する。容器は、掛置型、壁掛け型、吊下型に分類することができる。いずれの形態においても、容器内部には、前記した発熱体と蒸散物質とを一定の関連構造のもとに収納可能な内部構造としている。
【００４６】
図１，２に示すように、容器の表面は、蒸散物質からの成分が蒸散しやすいように空気流通孔等の多孔構造としている。容器は収納本体と蓋体により構成し蒸散物質と発熱体とを内容物として収納取出し自在としている。
【００４７】
蓋体は開蓋不能の固定型とする場合、内収納物としての蒸散物質をユーザの好みに応じて取替え自在とする場合等がある。本製品装置を使い捨て装置にするか、再利用型容器として経済性を優先するかによって容器構造は変化する。
【００４８】
このように、必要によっては、いわゆる使い捨て自在の容器とすることもでき、この場合は、容器と共に使用済みの発熱体と蒸散物質も使い捨てになる。使い捨て容器とするか、再利用型容器とするかはコストの関係で選択することになるが、後述するように本装置の使用範囲をホテル等の小空間の部屋に限定する場合は使い勝手とコストとホテル側の管理の煩雑さ等のバランスで決定する。
【００４９】
発熱体と蒸散物質と反応媒体（水）を同一容器に詰め替え自在としてする場合には、ホテル事業における本装置の流通形態や本装置の事業形態等を考慮して容器、発熱体、蒸散物質、反応媒体（水）等を流通取引対象としたビジネスモデルを構築することができ、特にホテルの宿泊部屋内における精油蒸散環境の設定を目的としたホテル客へのサービスを主体としたビジネスモデルを構築することができる。
【００５０】
すなわち、ホテルの宿泊部屋内という狭密閉空間において実施可能とした「火力を使用しない精油蒸散技術」をサービス商品として、「狭密閉空間の提供事業者」「その受給者」「流通取引業者達」等より構成されるビジネスモデルを構成することができる。
【００５１】
その内容は図７、図８に示すように、該精油蒸散装置を関係者間で販売流通させると共に、狭密閉空間の提供事業者は該精油蒸散装置を狭密閉空間の受給者に提供し、該受給者は火力を使用しない精油蒸散装置を受給して狭密閉空間内で精油蒸散器を用いて精油薬剤成分による宿泊環境の改善、すなわち、狭密閉空間内で宿泊客自体が精油蒸散活動を行って高度な宿泊環境を受給できるという宿泊サービスの差別化図ることができる。かかるシステムをビジネスモデルとして構築することができる。
【００５２】
２．収納容器を簡便な袋体とする。
上記した容器は、樹脂等のいわゆるハードケースで構成したものであり、流通過程での取扱いの利便性を考慮した形態としては一般的であるがコスト的に安価に使いやすい形態とする場合は、図５、図６に示すように、ハードケースではなく柔軟性のある「袋体５００」を使用し袋体中に発熱体２００と蒸散物質１００とを収納して袋体５００のまま流通過程におき、使用時には袋体中の水袋３００で発熱体の水和反応を生起し精油蒸散を袋体から行う構造とする。
【００５３】
この場合には、水袋３００も発熱体２００、蒸散物質１００と共に一体に袋体中に収納して、袋体５００を外部エネルギ―を介して破砕して袋体中で水和反応を生起とすることにする。例えば、酸化カルシウム等の発熱成分と水袋３００とを袋体５００中に収納しておき水袋３００を外部から押圧して破砕して袋体５００中で水和反応を生起させる。
【００５４】
袋体５００には、発熱体２００により生起する蒸散物質１００の成分を蒸散排出するための孔を多数穿設しておき、袋体５００そのものに商品価値を持たせる形状や模様デザインを施す。また、袋体からの精油の蒸散メカニズムとしては袋体そのものを材質的にガス透過素材で構成して袋体の繊維組織から精油の成分蒸散を可能とすることができる。
【００５５】
３．容器の内部構造は、図１〜図４に示すように、発熱体２００と蒸散物質１００との水和反応に基づく発熱及び薬液蒸散の機能を円滑に果たすことができるような収容形態構造とする。
【００５６】
そのためには、発熱体２００と蒸散物質１００の両部材の収納時の仕切り６００や水和反応を確実に達成するための水の供給構造などが必要であり、特に発熱体２００から蒸散物質１００への熱伝導に関する構造に工夫が必要となる。なお、図３，４に示すように、７００は仕切り６００にケース４００から操作可能に構成した開閉手段としての扉体を示す。また、３００´は水和反応をするための媒体としての水を示す。
【００５７】
更には、発熱体の発熱温度に対して耐熱性のある素材を必要とするために、ハードケース４００とする場合は耐熱性合成樹脂素材を使用する。なお、袋体３００の場合にも同様であり耐熱性のある布素材や不織布を選択する。
【００５８】
４．発熱体と水との接触による水和反応を生起すための操作機構については一般に容器外部に操作機構を設け容器外部より水貯留部の破砕等により水和反応を生起することができる構成とする。
【００５９】
例えば、発熱体が粉体の酸化カルシウムであった場合は粉体中に水袋を収納しておきハードケースや柔軟性収納袋等の外部から押圧（図２中の押圧部Ｎ）して水袋を破砕し酸化カルシウムとの水和反応を生起するような操作機構が考えられる。
【００６０】
［ＶＩ．応用分野］
１．上記した発熱体と蒸散物質との関連技術は、それぞれ単体、或いはその組み合わせ技術として公知技術である。しかし、発熱体と蒸散物質とを組み合わせることによって商品装置の応用分野等に特有の技術を提供することができる、すなわち、発熱体の種類の選択や蒸散物質の種類の選択やそれぞれの使用量や水和反応するための水量などの環境条件を変化することにより各種応用分野において従来にはないビジネスモデルを主体としたシステム構築が行える。
【００６１】
以下に述べるように発熱体と蒸散物質と水和反応媒体との適用条件等を検討することにより各種応用分野において精油蒸散に基づく環境改善の技術を提供することができる。
【００６２】
２．本件発明の応用実施現場
（１）応用分野として最も適合しやすい用途は、狭空間において短時間に発熱体と蒸散物質との組み合わせによる機能を果たし、該狭空間における人間の精神安定、健康志向に寄与することが本発明の目的の一部である。
【００６３】
すなわち、狭空間における応用としてホテルの各室に本件技術の発熱体と蒸散物質の組み合わせよりなる装置を配設すれば、ホテル宿泊客に健康面で好影響を付与することができる。かかる健康志向の面からの技術応用が可能となり、かかる応用分野が確立できれば精油蒸散の応用分野の実施範囲や有効性が拡大してホテル事業に関する新たなビジネスモデルの構築に寄与することができる。
【００６４】
特に利用頻度が多いと思われるホテル事業に本発明技術を運用すれば、ホテル客室の広さ、室内の什器備品への移り香の防止、有効時間、客の使用形態の選択メニュー、価格帯等のホテルサービス業における本発明技術の確立ができ各種のビジネスモデル構築が可能となる。
【００６５】
（２）有効狭空間について
ホテルの宿泊室を基準とすると、１５ｍ2〜３０ｍ2の客室空間を基準として、蒸散物質の有効時間を設定して、発熱体と蒸散物質との機能量を算定する。具体的にホテルの宿泊室の狭空間における薬効有効時間、発熱体の水和反応量及び有効反応時間、使用する蒸散物質の量、香りが消えるまでの時間等は以下のような数値を示した。
【００６６】
すなわち、10ｍ2〜30ｍ2の部屋空間において生石灰3ｇを使用し精油の香り成分を2グラム使用し反応水3〜5ｍｍlで水和反応を行った。発熱反応時間は約4分(賦香率3%)精油蒸散が行われ初期の香りの有効時間は約10分から30分以内であった。その後蒸散により生成した部屋内の香りが消滅するまでに約180分（3時間）から約540分（9時間）を要した。
【００６７】
かかる数値から推測されることは、精油蒸散による香りは部屋の大きさによって少々異なるが水和反応による精油の蒸散後約30分は香りを知覚できる有効な香り時間となる。しかも、生石灰の水和反応時間は約4分間持続し、最終的に部屋内の香りを感知しなくなる（香りが消滅したと感じる）までには3〜9時間を要する。かかる数値の前提としては発熱体となる生石灰を3グラム、蒸散物質を2グラム使用した。
【００６８】
なお、部屋の大きさを10ｍ2〜30ｍ2のうち10ｍ2、15ｍ2、30ｍ2の3タイプに分類してみると蒸散当初の香りの有効時間は10ｍ2では約30分、15ｍ2では約20分、30ｍ2では約10分という差が生じた。また、香りが消滅するまでの時間については、10ｍ2では約9時間、15ｍ2では約6時間、30ｍ2では9時間という差が生じた。
【００６９】
要するにかかる精油の蒸散にもとづく薬効成分の有効時間は部屋の広さにより2〜3倍の開きがあることが判明した。従って、実際に精油の蒸散装置をホテルの部屋で使用するビジネスモデルを構築する場合は部屋の大きさのタイプに基づき水和反に基づく蒸散素材の量や発熱体の量を予め設定して数種類の蒸散規格内収容物とする必要がある。
【００７０】
（３）香料等の精油の蒸散システムの構築
ｉ）発熱体と蒸散物質との組み合わせによりなるアロマセラピー商品としてホテルに搬入する場合、単に発熱体と蒸散物質との組み合わせ商品の販売ビジネスではなく、発熱体は原則として、酸化カルシウム等を使用するものの、精油を客の好みやホテルの使用目的に対応して、ケースに詰め替え自在としたり、薬剤、薬液の選択を自由にしたりするビジネスモデルの構築が必要となる。
【００７１】
従って、蒸散物質はホテル側において数種類の薬効成分を予め揃えておき、蒸散物質の納品業者或いは需要者であるホテル側が薬効成分を選択して、客の好みに応じて使用できるようなビジネスモデルのシステムを構築する。
【００７２】
ｉｉ）かかるアロマセラピーを商品として販売、実施のルートにのせる製造販売ビジネスモデルとは別に芳香剤等の精油蒸散のメカニズムをシステムとして把握すると、精油の量や濃度と発熱体の発熱タイミングと、発熱時間と精油量及び発熱残量表示等のそれぞれの相関関係及びこれらの相関関係により派生する部屋の有効空間や客の嗜好や部屋滞在時間内における１日の有効時間帯や対象客層の特性等を更に付加してこれらの総合情報をシステムとして構築することができる。
【００７３】
これらのシステムは、ホテルという狭い空間部屋における各種の情報を３次元的に構築して、例えばホテル業における精油蒸散システムとして技術的な面からのシステムを構築することもできる。
【００７４】
３．精油蒸散システムのビジネスモデルについて
【００７５】
［精油蒸散システムの構成］
図７に示すように、精油蒸散システムは、この精油蒸散システムを管理するシステムサーバ１０と、発熱体と蒸散物質との組み合わせによりなる精油蒸散装置（以下、アロマセラピー商品ともいう）を開発・提供するメーカが管理するメーカ端末２０と、発熱体と蒸散物質との組み合わせによりなるアロマセラピー商品をメーカから購入し、複数の受給者（以下、宿泊客という）に提供する狭密閉空間（客室）の提供事業者（以下、ホテル事業者という）が管理する事業者端末３０とで構成される。システムサーバ１０、メーカ端末２０及び事業者端末３０は、公衆通信回線網５０を介してそれぞれ相互に通信可能に接続されている。
【００７６】
システムサーバ１０、メーカ端末２０及び事業者端末３０としては、周知のコンピュータが好適に使用される。なお、周知のコンピュータは、デスクトップパソコン、ノートパソコン、タブレット型パソコン等が好適に用いられるが、公衆通信回線網５０を介して相互に通信可能な機能を備えたものであればよい。また、公衆通信回線網５０は、周知のインターネット回線、携帯電話通信回線、電話回線、通信衛星回線等である。
【００７７】
システムサーバ１０には、アロマセラピー商品を使用する複数のホテル事業者情報等が予め登録されている。また、システムサーバ１０は、ホテル事業者が購入したアロマセラピー商品の使用期限を管理する使用期限管理処理やホテル事業者から提供される予約した宿泊客情報に応じて、消費されるアロマセラピー商品の傾向を分析する商品分析処理を実行する。
【００７８】
メーカ端末２０は、公衆通信回線網５０を介して事業者端末３０からのアロマセラピー商品の発注に応じて、発注されたアロマセラピー商品をホテル事業者に納品する商品納品処理を実行する。
【００７９】
事業者端末３０は、アロマセラピー商品の在庫数の減少やシステムサーバ１０から受信した消費されるアロマセラピー商品の傾向に基づいて、公衆通信回線網５０を介して、メーカ端末２０へのアロマセラピー商品を発注する商品発注処理や、公衆通信回線網５０を介してシステムサーバ１０から送信される在庫のアロマセラピー商品の期限切れ情報に応じてメーカ端末２０へのアロマセラピー商品の返品交換を発注する商品発注処理等を実行する。
【００８０】
［精油蒸散システムの処理の概要］
以下、図８を参照して、本実施例の精油蒸散システムを構成するシステムサーバ１０、メーカ端末２０及び事業者端末３０で実行される一連の処理の概要を説明する。
【００８１】
最初に、提供事業者であるホテル事業者は、アロマセラピー商品の在庫数の減少や消費される数がアロマセラピー商品に応じて購入するアロマセラピー商品の種類や数（個数）を決定して、公衆通信回線網５０を介して、メーカ端末２０へのアロマセラピー商品を発注する（ステップＳ１）。
【００８２】
事業者端末３０からのアロマセラピー商品の発注を受信（ステップＳ２）したメーカ端末２０は、受信した種類及び数のアロマセラピー商品を納品する（ステップＳ３）。このアロマセラピー商品の納品は、例えば、宅配事業者により、メーカの倉庫から発注に応じた種類や数（個数）のアロマセラピー商品を搬送することで、ホテル事業者にアロマセラピー商品が受領される（ステップＳ４）。ここで、本実施例のアロマセラピー商品は、発熱体、水、蒸散物質がそれぞれ一体のユニットとしてパッケージされており、顧客に応じた専用のケース（例えば、ホテル名や特徴的な図柄が印刷されたホテル事業者ごとの専用のケース）に、このパッケージを詰め替え自在として使用することができる。
【００８３】
メーカ端末２０は、ホテル事業者に納品したアロマセラピー商品の商品データをシステムサーバ１０に送信する（ステップＳ４）。この商品データは、ホテル事業者に納品したアロマセラピー商品の種類、製造年月日、有効使用期限等で構成されたものである。システムサーバ１０は、メーカ端末２０からの商品データを受信する（ステップＳ６）すると、この商品データを、ホテル事業者ごと、アロマセラピー商品ごとに内部の記憶装置（ＨＤＤ等）に登録する。
【００８４】
システムサーバ１０は、定期的（例えば、１日単位）で、記憶装置に登録したホテル事業者ごと、アロマセラピー商品ごとの商品データをチェックし、商品データの使用期限管理処理を行う（ステップＳ７）。そして、システムサーバ１０は、使用期限切れのアロマセラピー商品があった場合は、該当する商品データを事業者端末３０に送信する（ステップＳ８）。
【００８５】
事業者端末３０は、受信した使用期限切れのアロマセラピー商品が在庫として残っていた場合は、商品の返品をメーカ端末２０に送信する（ステップＳ８）。この処理では、事業者端末３０は該当商品の使用を禁止するとともに、代替え商品の発注も同時に行う。このとき、代替え商品としては、同じ種類のアロマセラピー商品でもよいし、在庫が長く消費されないと判断して、消費の多い別の種類のアロマセラピー商品でもよい。
【００８６】
事業者端末３０からの商品の返品と代替え商品の発注を受信（ステップＳ１０）したメーカ端末２０は、受信した種類及び数のアロマセラピー商品を納品する（ステップＳ１１）。これにより、メーカの倉庫から発注に応じた種類や数（個数）のアロマセラピー商品が顧客に搬送されて受領される（ステップＳ１１）。この場合、メーカ端末２０を管理するメーカは、返品されたアロマセラピー商品のデータを記憶しておき、定期的に返品の数が多いアロマセラピー商品の種類を分析する。これにより、メーカにおけるアロマセラピー商品の消費されない商品開発を打ち切り、新商品開発に切り替えることができ、返品された商品データを有効に活用することができる。
【００８７】
上述したステップＳ１〜Ｓ１２までの処理は、アロマセラピー商品の商品データに基づいた商品の期限管理処理である。
【００８８】
事業者端末３０は、宿泊客情報をシステムサーバ１０に送信する（ステップＳ２０）。この宿泊客情報は、例えば、ホテルにおける宿泊客の予約情報、予約した宿泊客が利用したアロマセラピー商品の商品データ、事業者端末３０が管理しているアロマセラピー商品の在庫情報等である。
【００８９】
システムサーバ１０は、宿泊客情報を受信（ステップＳ２１）すると、この宿泊客情報を、宿泊客ごとに内部の記憶装置（ＨＤＤ等）に登録する。システムサーバ１０は、宿泊客情報に基づいて使用される機会の多いアロマセラピー商品の使用商品分析処理を実行する（ステップＳ２２）。一般的に、においや香りには個人的嗜好が多く反映されるため、お気に入りのアロマセラピー商品が何度も選択される機会が多い。このため、宿泊客情報を分析することで、宿泊客情報に基づいた使用頻度の高いアロマセラピー商品を抽出することができる。
【００９０】
システムサーバ１０は、分析した使用される機会の多いアロマセラピー商品を商品発注の提案（参考）として、事業者端末３０に送信する（ステップＳ２３）。事業者端末３０は、システムサーバ１０からの商品発注の提案（参考）を受信（ステップＳ２４）すると、これに基づいて、提案に応じたアロマセラピー商品の種類と数を決定する（ステップＳ２５）。ここでの決定は、事業者端末３０からメーカ端末２０へのアロマセラピー商品の発注（ステップＳ１）で実行されることになる。
【００９１】
上述したステップＳ２０〜Ｓ２５までの処理は、ホテル事業者の宿泊客情報に基づいたアロマセラピー商品の商品発注提案処理である。
【００９２】
［ＶＩＩ．精油蒸散方法及びその装置のホテル客室における多種機能性について］
１．安全性
（１）本発明の精油蒸散方法及びその装置（以下、本件精油蒸散関連技術という）は、発熱体に関して電気や火気やガスや物理手段等による発熱減を一切使用しないで、化学的な水反応だけの発熱手段を採用するために、発熱等の安全性の確保が必要となる。かかる安全性は、発熱の過高温、過多発熱時間等を可及的に遮断可能とする技術構成を必要とする。
【００９３】
（２）発熱体の安全性は、本件精油蒸散関連技術に付随することが多く、これらの発熱体の欠陥を防止するためには、欠陥に基づく現象が発生した際にすばやく認識できるようなセンサー機能を具備しておく。センサー機能は、発熱体自体、或いは発熱体ケースに熱センサーを取付けて、発熱体の一定温度を検出した場合には、それを報知手段の作動によって管理人や所定部署のホテル従業員に報知する。
【００９４】
熱センサーと報告手段との間では、早急に危険な温度に達すると、自動的にベルや色彩光やその他の報知手段を作動して、ホテルの客に報知するように構成する。かかる危険温度報知手段は、客室内に設置した報知装置をホテル客室内のセンサーにより検出して作動する技術の他に、発熱体による精油蒸散のメカニズム部分に検出器を設置しておき、一定以上の高温を検出すると、客室内に設置した報知手段に検出情報を送信して報知することができる。なお、かかる危険状態の発生に対してはこのような報知手段と共に発熱体そのもの発熱反応を停止する手段を採用する。
【００９５】
２．顧客の要望
（１）ホテルの客室内に本件精油蒸散関連技術を設置した場合に、精油蒸散はアロマセラピーを目的とした技術のために香りの種類や香りの濃度や香りの蒸散時間や香りの蒸散タイミング等が、客の好みによって選択可能にしておくことができる。
【００９６】
（２）宿泊客の要望に合致した本件精油蒸散関連技術を実現するためには、ホテルカウンターでチェックインした時に、カウンタークラークが質問して要望を確かめる方法や、宿泊予約時に予め確認しておく方法によって、宿泊客の好みを知得して、それに合った本件精油蒸散関連技術を室内に設置する。
【００９７】
このようにホテル側が本件精油蒸散関連技術を室内に設置する場合以外に、客が入室時に本件精油蒸散関連技術の選択をして、自らの好みの本件精油蒸散関連技術を選択し、自己満足のできるホテル部屋環境を選択することができる。
【００９８】
客が選択しやすいように室内には予め数種類の精油製品を装備すると共に自分の好みで精油蒸散のための発熱体の規定量を選択可能としておく。なお、客の選択にまかせて選択責任を客側に帰属させるような当事者間の法的制約も必要となる。
【００９９】
３．客室内での精油蒸散による器物汚損の解消
（１）本件精油蒸散関連技術によって、特に、精油蒸散の香りや臭気が室内の衣服や調度家具等に付着する場合がある。かかる状況が発生した場合に、それを除去するための責任はホテル側にあり、定期的に精油蒸散の移り香を除去する作業をしなければならない。
【０１００】
移り香の他の回避手段としては、蒸散する精油の選択時に空気中以外への固型物への移り香が付着しないような成分を選択する。すなわち、所定空間距離以上に伝播しない成分を選択して移り香が室内固型物に伝播付着する前に空気中で成分が消失し、或いは床面に落下するような蒸散成分の選択を行う。
【０１０１】
（２）使用済みの精油蒸散装置には、炭酸カルシウム（石灰）と精油残量が収納容器に残っている。かかる残存成分が残った装置は廃棄されるか、収容容器を再利用して再生する場合がある。廃棄される際には、二次公害の対象とならないようにするために、発熱体の材料の選択、収容容器の材料の選択をしなければならず、特に収容容器は紙製とし、発熱体は酸化カルシウムの水和反応による残滓（炭酸カルシウム）として、薬害の対象とならない。
【０１０２】
［ＶＩＩ.使用形態の具体性］
１．香料、芳香剤等の精油蒸散タイミングは、用途に応じて設定される。
特にホテル客室における用途を設定する場合は、客の精神安定、疲労の慰労安眠等を主たる目的とするために最も効果的な使用形態は就寝直前の数分前より機能するようなタイミングを設定する。
【０１０３】
従って、ユーザである宿泊客への説明を徹底することが必要となると共に、技術的には客のタイミングの選択、すなわち就寝直前より客の体調に合わせた任意の機能タイミングを選択自在とし単純な機能開始の操作ができるような簡易操作技術を付加する。例えば、容器ケースにタイマー付きのＯＮ操作機構を設ける。
【０１０４】
２．発熱体が水和反応するための契機となる水和機能構造
水を容器外から注入する技術と予め容器中に発熱体と別体に反応水を貯留しておき、貯留した反応水をいかに発熱体に接触させるかの技術とに分けられる。
【０１０５】
（１）容器外から反応水を注入する技術とした容器に水注入口を形成してそこにスポイド等の手段で水を注入して発熱体に接触反応させる構造手段を援用できる。なお、この際に、反応水は一たんスポンジ等の吸水素材に吸水させて、徐々に発熱体に反応水の供給を行う構造とすることができる。
【０１０６】
（２）容器中に水和反応水を収容しておく。外部エネルギーにより反応水を強制的に発熱体と接触させて水和反応を生起する。そのためには、図２に示すように、発熱体２００に隣接して反応水の水袋３００を配設しておき、容器４００外から指で押圧したりて水袋３００を破砕して反応水と発熱体２００を接触させて水和反応を生起し発熱反応を得る。
【０１０７】
（３）かかる発熱体２００と反応水の反応契機となる操作は、基本的に容器４００外部から行うために容器４００と反応水の関連構成を考えなければならない。例えば、容器の一部に可撓性素材の押圧部Ｎを設け、押圧部の内側方に水袋３００を密着配設しておき、押圧部Ｎの押圧操作にともない水袋３００が破壊されて隣接する発熱体２００と接触する構造とすることができる。
【０１０８】
３．容器の容量及び形状デザインについて
ユーザとしての宿泊客に使いやすく、操作簡便でしかも目につきやすく、特に就寝直前に使用する場合を想定してベッドの枕元に配置可能な形状デザインを採用する。例えば、ベッドの枕元棚部に載置可能で容量も可及的に小型にして取り扱い易く、特に部屋の空調の空気の流れを考慮した位置や姿勢になるように什器備品との兼ね合いで精油の蒸散効率がもっとも有効に発揮できる位置に配置できるように構成する。
【０１０９】
従って、容器形状を平板扁平形状とすればベッドの枕元に邪魔にならずに配置しやすく、また、ホテル側での大量の保管に便利で部屋の空間に支障とならない。更には、容器の外表面に剥離紙付きの粘着剤を塗布して、室内の所定個所、例えば部屋内での空調の空気の流通に従って蒸散成分が拡散しやすい個所、例えば壁面や什器備品に付着して安眠や精神安定に最も有効な位置設定を行う。
【０１１０】
このように使用環境に応じて、容器の形状、大きさ、設置位置などを適宜選択することができる。なお、水和反応等による発熱体の発熱と同時に熱温度を契機として認知音を発する構造とすることもできかすかな静音で精神安定を促すこともできる。
【０１１１】
以上、上述した実施例を通して本発明を説明してきたが、本発明はこれらに限定されるものではない。また、上述した各効果は、本発明から生じる最も好適な効果を列挙したに過ぎず、本発明による効果は、本実施例に記載されたものに限定されるものではない。
【符号の説明】
【０１１２】
１００  蒸散物質
２００  発熱体
３００  水袋
４００  容器
５００  袋体
【図１】
2020130542.tif 000004
【図２】
2020130542.tif 000005
【図３】
2020130542.tif 000006
【図４】
2020130542.tif 000007
【図５】
2020130542.tif 000008
【図６】
2020130542.tif 000009
【図７】
2020130542.tif 000010
【図８】
2020130542.tif 000011